(57)【要約】【課題】保守時のかご上作業性の安全性向上を図り、また天蓋上面補強の凹凸を無くすだけでなく、ＢＧＭスピーカや照明用安定器など、従来天蓋上面に取り付けられていたエレベータ関連機器も含めて安価な構造で且つ、意匠や見栄えに影響を与えることなくフラットな天井上構造にしたエレベータかご室の天井を得る。【解決手段】天蓋の下面が意匠面としてかご内から見えるエレベータかご室の天井において、天蓋１Ａを天蓋上板１ａと天蓋下板２ａで構成された二層構造とし、この二層構造の天蓋１Ａの内部に補強部３ａと、エレベータ関連機器５を配置する。【選択図】　　　　図１
2004115239.tif 000002
【特許請求の範囲】
【請求項１】
天蓋の下面が意匠面としてかご内から見えるエレベータかご室において、上記天蓋を二層構造とし、該二層構造の天蓋の内部に該二層構造を補強する補強部と、エレベータ関連機器とを配置したことを特徴とするエレベータかご室。
【請求項２】
上記天蓋の端側に吊天井を設け、該吊天井の上側において上記二層構造の天蓋の内部に上記エレベータ関連機器を配置したことを特徴とする請求項１記載のエレベータかご室。
【請求項３】
上記天蓋の上記エレベータ関連機器を配置した部分を着脱可能な別部品として構成し、該別部品を上記天蓋の上方へ着脱またはスライドできるようにしたことを特徴とする請求項１または２記載のエレベータかご室。
【請求項４】
上記二層構造の天蓋を、天蓋上板と天蓋下板で構成したことを特徴とする請求項１〜３のいずれかに記載のエレベータかご室。
【請求項５】
天蓋の下側に意匠面となる他の面を設けて天蓋の下面が意匠面としてかご内から見えないエレベータかご室において、
上記天蓋を端側において部分的に二層構造となし、該二層構造の天蓋の内部にエレベータ関連機器を配置したことを特徴とするエレベータかご室。
【請求項６】
上記二層構造の天蓋を天蓋上板と天蓋下板で構成し、該天蓋上板と天蓋下板が相互に補強部を兼用する形状をなすことを特徴とする請求項５記載のエレベータかご室。
【請求項７】
上記天蓋の上記エレベータ関連機器を配置した部分の下面側に保守作業可能な穴を設けたことを特徴とする請求項２、５または６記載のエレベータかご室。
【請求項８】
上記エレベータ関連機器としてＢＧＭスピーカ、照明用安定器または防犯用カメラ用電源を配置したことを特徴とする請求項１〜７のいずれかに記載のエレベータかご室。
【発明の詳細な説明】
【０００１】
【発明の属する技術分野】
この発明は、エレベータかご室に関し、特に、天井上構造をフラットとするエレベータかご室の天井に関するものである。
【０００２】
【従来の技術】
通常、エレベータかご室の天井は、例えば特開平９−２４０９６４号公報に示されるように天井補強部等は上向きに設置されることで、天井上は凹凸となっている。
図１０は、上記公報等に示されている従来のエレベータかご室の天井を示す断面図である。
図において、２０は天井、２１は天井２０に対して上向きに設置された天井補強部、２２は天井２０の上に配置されたＢＧＭスピーカや照明用安定器、その他防犯用カメラ用電源等のエレベータ関連機器、２３は吊天井である。
【０００３】
【発明が解決しようとする課題】
ところが、上述のような従来のエレベータかご室の天井の場合には、天井補強部等が上向きに設置されることで、天井の上が凹凸となり、エレベータ本体据付時にかご室の天井を作業床としてそのまま使用するのは不適切であるため、別途据付専用の作業床を設ける必要があった。
【０００４】
また、かご上にはＢＧＭスピーカ、照明用安定器（かご内から照明器具の保守が困難な天井意匠の場合に天井上に配置される）、その他各種機器の電源など、天井の上には一般的に様々なエレベータ関連機器が配置されるため、エレベータ本体据付時に作業床として天井をそのまま使用する場合は、これらのエレベータ関連機器を取り外す必要があり、また、保守時のかご上の作業スペースを狭くする原因となる等の問題点があった。
【０００５】
この発明は、上記のような問題点を解消するためになされたものであり、天井上の凹凸を無くすだけでなく、ＢＧＭスピーカや照明用安定器など、従来天井上面に取り付けられていたエレベータ関連機器も含めて、安価な構造で且つ、意匠や見栄えに影響を与えることなくフラットな天井上構造にしたエレベータかご室の天井を提供することを目的とする。
【０００６】
【課題を解決するための手段】
この発明に係るエレベータかご室は、天蓋の下面が意匠面としてかご内から見えるエレベータかご室の天井において、上記天蓋を二層構造とし、該二層構造の天蓋の内部に該二層構造を補強する補強部と、エレベータ関連機器とを配置したものである。
【０００７】
また、この発明に係るエレベータかご室は、上記天蓋の端側に吊天井を設け、該吊天井の上側において上記二層構造の天蓋の内部で、上記かご内から見えない部分に上記エレベータ関連機器を配置したものである。
【０００８】
また、この発明に係るエレベータかご室は、上記天蓋の上記エレベータ関連機器を配置した部分を着脱可能な別部品として構成し、該別部品を上記天蓋の上方へ着脱またはスライドできるようにしたものである。
【０００９】
また、この発明に係るエレベータかご室は、上記二層構造の天蓋を、天蓋上板と天蓋下板で構成したものである。
【００１０】
また、この発明に係るエレベータかご室は、天蓋の下側に意匠面となる他の面を設けて天蓋の下面が意匠面としてかご内から見えないエレベータかご室の天井において、上記天蓋を端側において部分的に二層構造となし、該二層構造の天蓋の内部にエレベータ関連機器を配置したものである。
【００１１】
また、この発明に係るエレベータかご室は、上記二層構造の天蓋を天蓋上板と天蓋下板で構成し、該天蓋上板と天蓋下板が相互に補強部を兼用する形状をなすものである。
【００１２】
また、この発明に係るエレベータかご室は、上記天蓋の上記エレベータ関連機器を配置した部分の下面側に保守作業可能な穴を設けたものである。
【００１３】
また、この発明に係るエレベータかご室は、上記エレベータ関連機器としてＢＧＭスピーカ、照明用安定器または防犯用カメラ用電源を配置したものである。
【００１４】
【発明の実施の形態】
以下、この発明の実施の形態を、図に基づいて説明する。
実施の形態１．
図１および図２は、この発明の実施の形態１によるエレベータかご室の天井を示すもので、ここでは中央グローブ照明タイプの場合を示しており、図１はこの発明の実施の形態１における天蓋全体をかご上から見た図であり、図１において、１Ａは天蓋である。
【００１５】
また、図２は、図１の天蓋を線Ａ−Ａで切断して示す断面図である。
図において、１ａは天蓋上板、２ａは天蓋下板であって、ここでは天蓋１Ａは、天蓋上板１ａと天蓋下板２ａにより二層構造となるよう構成されている。天蓋上板１ａはかご上で作業する場合に人が乗る部分であり、天蓋下板２ａはかご内から意匠面として見える部分である。３ａは天蓋上板１ａと天蓋下板２ａの各々の補強部であって、二層構造をなす天蓋上板１ａと天蓋下板２ａの内部に配置されており、この部分にランプ６が設けられる。４は天蓋１Ａの中央部に取り付けられた照明グローブである。５はＢＧＭスピーカや照明用安定器、その他例えば防犯用カメラ用電源等の電源類のエレベータ関連機器であって、二層構造をなす天蓋上板１ａと天蓋下板２ａの内部に配置している。
【００１６】
このようにして、本実施の形態では、天蓋両面がフラットとなるので、かご上作業性がよくエレベータ本体据付時の作業床として使用することができ、また、意匠面の見栄えも問題ない。また、天蓋二層構造の内部にＢＧＭスピーカなどのエレベータ関連機器を配置したので、エレベータ本体据付時にかご上を作業床として使用する場合、これらのエレベータ関連機器を取り外すことなく広く使用できる。しかも、天井の中央に照明グローブを配置した天井意匠など、天蓋下面が意匠面としてかご内から見える天井に有効な構造とすることができる。
【００１７】
実施の形態２．
図３および図４は、この発明の実施の形態２によるエレベータかご室の天井を示すもので、ここでは間接光タイプの場合を示しており、図３はこの発明の実施の形態２における天蓋（図１参照）を線Ａ−Ａで切断して示す断面図、図４はその詳細断面図である。なお、図３、図４において、図１、図２と対応する部分には同一符号を付し、その詳細説明を省略する。
【００１８】
図において、１Ｂは天蓋、１ｂは天蓋上板、２ｂは天蓋下板であって、ここでは天蓋１Ｂは、天蓋上板１ｂと天蓋下板２ｂにより二層構造となるよう構成されている。天蓋上板１ｂはかご上で作業する場合に人が乗る部分であり、天蓋下板２ｂはかご内から意匠面として見える部分である。３ｂは天蓋上板１ｂと天蓋下板２ｂの各々の補強部であって、二層構造をなす天蓋上板１ｂと天蓋下板２ｂの内部に配置される。７は天蓋１Ｂの両側に取り付けられた間接光照明用吊天井であって、この間接光照明用吊天井７の取り付けられた天蓋二層構造の内部に、従来かご上に取り付けられていたＢＧＭスピーカや照明用安定器、その他電源類などのエレベータ関連機器５が配置される。８は吊天井７の内部に設けられたランプ、９は同じく吊天井７の内部に設けられたダウンランプである。１０は天蓋下板２ｂのエレベータ関連機器５が取り付けられている部分に設けられたエレベータ関連機器５の逃がし穴としての穴である。
【００１９】
このようにして、本実施の形態では、意匠上問題とならない天蓋下板の穴は、実質的にエレベータ関連機器の逃がし穴となるので、内部に配置したエレベータ関連機器のサイズや放熱ために必要な寸法に関係なく、天蓋二層構造の厚みを薄くすることができ、省スペース化が図れる。また、天蓋に配置したエレベータ関連機器の保守は、天蓋下面側の穴を用いてかご内から行えるので、保守性が向上する。しかも、エレベータ関連機器がＢＧＭスピーカの場合は、適切な音量を確保できる。
【００２０】
実施の形態３．
図５および図６は、この発明の実施の形態３によるエレベータかご室の天井を示すもので、ここでは上記実施の形態２と同様に間接光タイプの場合を示しており、図５はこの発明の実施の形態３における天蓋（図１参照）を線Ａ−Ａで切断して示す通常状態の詳細断面図であり、図６はその保守時の詳細断面図である。なお、図５、図６において、図１〜図４と対応する部分には同一符号を付し、その詳細説明を省略する。
図において、１１はエレベータ関連機器５が取り付けられた着脱可能な天蓋１Ｂとは別部品としての取付金であり、つまり、取付金１１は天蓋１Ｂのエレベータ関連機器が取り付けられた部分が天蓋１Ｂとは別部品として構成されており、この取付金１１によりエレベータ関連機器５を天蓋上板１ｂから取り外すことができる構造となっている。なお、取付金１１は、上下にスライドできる構造としてもよい。なお、図５は、エレベータ関連機器５が取付金１１に取り付けられた通常の状態を表し、図６は、取付金１１によりエレベータ関連機器５を天蓋上板１ｂから取り外して、エレベータ関連機器５を保守する場合の状態を表している。
【００２１】
このようにして、本実施の形態では、取付金によりエレベータ関連機器を天蓋上板から取り外すことができる構造とすることで、保守性が向上し、特に、天蓋下面側から保守できない天井意匠の場合に有効である。
【００２２】
実施の形態４．
図７および図８は、この発明の実施の形態４によるエレベータかご室の天井を示すもので、ここでは光天井タイプ（天蓋が意匠面としてかご内から見えない天井）の場合を示しており、図７はこの発明の実施の形態４における天蓋（図１参照）を線Ａ−Ａで切断して示す断面図、図８はその詳細断面図である。なお、図７、図８において、図１〜図６と対応する部分には同一符号を付し、その詳細説明を省略する。
図において、１Ｃは天蓋、１ｃは天蓋上板、２ｃは天蓋下板であって、ここでは天蓋１Ｃは、天蓋上板１ｃと天蓋下板２ｃにより天井の両サイドのみ二層構造となるよう構成されている。１２は天蓋下板２ｃの全面に取り付けられた吊天井である。
【００２３】
天蓋上板１ｃはかご上で作業する場合に人が乗る部分であり、また、天蓋下板２ｃには吊天井１２が全面に取り付けられているため、吊天井１２の四周に発生する僅かな隙間を除き、天蓋１Ｃが意匠面としてかご内から見えることはない。なお、天蓋上板１ｃと天蓋下板２ｃは各々の天蓋補強部としての役割も果たしており、つまり、天蓋上板１ｃと天蓋下板２ｃが相互に補強部を兼用する形状をなしており、これにより、天蓋の補強部は極力廃止している。また、ここでも、従来かご上に取り付けられていたＢＧＭスピーカやその他電源類などのエレベータ関連機器５は、天蓋二層構造の内部に配置している。
【００２４】
このようにして、本実施の形態では、天蓋二層構造が部分的で、かつ補強兼用可能な形状で天蓋上板および天蓋下板を構成しているので、上記実施の形態１の天蓋構造よりも天蓋補強部の数を大幅に減らし、安価な構造で製作できる。また、天蓋の二層構造部分を天井の両端に均等配置しているので、ランプの光ムラは特に問題とならない。つまり、天蓋の二層構造部分を天蓋の端寄りに配置することで、二層構造が部分的であったとしてもランプの光ムラを抑制することができる。
【００２５】
実施の形態５．
図９は、この発明の実施の形態５によるエレベータかご室の天井を示すもので、ここでは上記実施の形態４と同様に光天井タイプの場合を示す詳細断面図である。なお、図９において、図１〜図８と対応する部分には同一符号を付し、その詳細説明を省略する。
この実施の形態５が上記実施の形態４と相違するのは、エレベータ関連機器５が取り付けられている天蓋下板２ｃの部分に、エレベータ関連機器５の逃がし穴としての穴１０が設けられているのみであり、その他の点は上記実施の形態４と同様である。
【００２６】
このようにして、本実施の形態では、天蓋の下面に、エレベータ関連機器の逃がし穴をあけているので、内部に配置したエレベータ関連機器のサイズや放熱のために必要な寸法に関係なく、天蓋二層構造の厚みを薄くすることができ、省スペース化が図れる。また、天蓋に配置したエレベータ関連機器の保守は、天蓋下面側の穴を用いてかご内から行えるので、保守性が向上する。さらに、ＢＧＭスピーカを配置する場合は、また穴位置にスピーカを配置することで、適切な音量を確保できる。
【００２７】
【発明の効果】
以上説明したように、この発明によれば、天蓋の下面が意匠面としてかご内から見えるエレベータかご室において、上記天蓋を二層構造とし、該二層構造の天蓋の内部に補強部と、エレベータ関連機器とを配置したので、天蓋両面がフラットとなり、かご上作業性がよく安全性を向上でき、しかも意匠面の見栄えも問題ない。また、エレベータ本体据付時にかご上を作業床として使用する場合、これらのエレベータ関連機器を取り外すことなく広く使用でき、さらに、天蓋下面が意匠面としてかご内から見える天井に有効な構造とすることができるという効果がある。
【００２８】
また、この発明によれば、上記二層構造の天蓋の内部で、上記かご内から見えない部分に上記エレベータ関連機器を配置したので、天蓋両面をフラットとかご上作業性をよくして保守性の向上等に寄与できるという効果がある。
【００２９】
また、この発明によれば、上記天蓋の上記エレベータ関連機器を配置した部分を別部品で構成し、該別部品を着脱またはスライドできるようにしたので、保守性が向上し、特に天蓋下面側から保守できない天井意匠の場合、天蓋上側に着脱またはスライドさせることで、かご上から容易に保守ができるという効果がある。
【００３０】
また、この発明によれば、上記二層構造の天蓋を、天蓋上板と天蓋下板で構成したので、天蓋両面がフラットとなり、意匠面の見栄えを損なうことなく、かご上作業性の向上等に寄与できるという効果がある。
【００３１】
また、この発明によれば、天蓋の下面が意匠面としてかご内から見えないエレベータかご室の天井において、上記天蓋を部分的に二層構造となし、該二層構造の天蓋の内部にエレベータ関連機器を配置したので、安価な構造で製作でき、また、二層構造部分を天蓋の端寄りに配置することで、二層構造が部分的であったとしてもランプの光ムラを抑制することができるという効果がある。
【００３２】
また、この発明によれば、上記二層構造の天蓋を天蓋上板と天蓋下板で構成し、該天蓋上板と天蓋下板が相互に補強部を兼用する形状をなすものであるので、天蓋両面がフラットとなり、意匠面の見栄えを損なうことなく、かご上作業性の向上等に寄与でき、しかもコストの低廉化を図ることができるという効果がある。
【００３３】
また、この発明によれば、上記天蓋の上記エレベータ関連機器を配置した部分の下面側に穴を設けたので、内部に配置したエレベータ関連機器のサイズや放熱のために必要な寸法に関係なく、天蓋二層構造の厚みを薄して省スペース化を図ることができ、また、天蓋に配置したエレベータ関連機器の保守は、天蓋下面側の穴を用いてかご内から行えるので、保守性が向上するという効果がある。
【００３４】
また、この発明によれば、上記エレベータ関連機器としてＢＧＭスピーカ、照明用安定器または防犯用カメラ用電源を配置したので、かご上作業性の向上等に寄与できると共に、エレベータ関連機器として例えばＢＧＭスピーカを配置する場合は、天蓋のエレベータ関連機器を配置した部分の下面側の穴位置にそのＢＧＭスピーカを配置することで、適切な音量を確保できるという効果がある。
【図面の簡単な説明】
【図１】この発明の実施の形態１〜５におけるエレベータかご室の天井の天蓋をかご上から見た全体図である。
【図２】この発明の実施の形態１によるエレベータかご室の天井を示す断面図である。
【図３】この発明の実施の形態２によるエレベータかご室の天井を示す断面図である。
【図４】この発明の実施の形態２によるエレベータかご室の天井を詳細に示す断面図である。
【図５】この発明の実施の形態３によるエレベータかご室の天井の通常状態を詳細に示す断面図である。
【図６】この発明の実施の形態３によるエレベータかご室の天井の保守時を詳細に示す断面図である。
【図７】この発明の実施の形態４によるエレベータかご室の天井を示す断面図である。
【図８】この発明の実施の形態４によるエレベータかご室の天井を詳細に示す断面図である。
【図９】この発明の実施の形態５によるエレベータかご室の天井を詳細に示す断面図である。
【図１０】従来のエレベータかご室の天井を示す断面図である。
【符号の説明】
１Ａ，１Ｂ，１Ｃ　天蓋、　　１ａ，１ｂ，１ｃ　天蓋上板、　　２ａ，２ｂ，２ｃ　天蓋下板、　　３ａ，３ｂ　補強部、　　５　エレベータ関連機器、　６，８　ランプ、　　７　間接光照明用吊天井、　　９　ダウンランプ、　　１０　穴、　　１１　取付金、　　１２　吊天井。
【図１】
2004115239.tif 000003
【図２】
2004115239.tif 000004
【図３】
2004115239.tif 000005
【図４】
2004115239.tif 000006
【図５】
2004115239.tif 000007
【図６】
2004115239.tif 000008
【図７】
2004115239.tif 000009
【図８】
2004115239.tif 000010
【図９】
2004115239.tif 000011
【図１０】
2004115239.tif 000012